(57)【特許請求の範囲】
【請求項１】
建物の扉に取り付けられた取手と、
前記取手を用いて前記扉を開ける操作が行われた場合、前記扉に進退自在に設けられた
ラッチボルトを前記扉の内側に移動させるラッチ駆動部と、
前記扉に進退自在に設けられたデッドボルトを施錠位置と解錠位置との間で進退させる電気錠と、
前記取手の把持部が変位することによって、前記取手に接続された部分が前記扉の内部で移動することを検知する検知部と、
前記検知部が前記取手に接続された部分が前記扉の内部で移動することを検知した場合、前記扉を開閉する人物の認証を行う認証部と、
前記認証部による認証が成立した場合、前記デッドボルトを前記解錠位置に移動させるように前記電気錠を制御する制御部とを備えたことを特徴とする電気錠装置。
【請求項２】
前記検知部が前記取手に設けられたことを特徴とする請求項１に記載の電気錠装置。
【請求項３】
前記取手は、前記扉の屋内側に取り付けられた第１取手と、前記扉の屋外側に取り付けられた第２取手とを備え、
前記ラッチ駆動部は、前記第１取手又は前記第２取手を用いて前記扉を開ける操作が行われた場合に前記ラッチボルトのロックを解除させるように構成され、
前記検知部は、前記ラッチ駆動部が前記ラッチボルトのロックを解除させる動作を検知することによって、前記取手が操作されたことを検知するように構成されたことを特徴とする請求項１に記載の電気錠装置。
【請求項４】
請求項１〜３のいずれか１項に記載の電気錠装置と、前記扉とを備える電気錠付扉。
【請求項５】
建物の扉に取り付けられた取手を用いて前記扉を開ける操作が行われた場合、前記扉に進退自在に設けられたラッチボルトを前記扉の内側に移動させるラッチ駆動部と、
前記取手の把持部が変位することによって、前記取手に接続された部分が前記扉の内部で移動することを検知する検知部と、
前記検知部が前記取手に接続された部分が前記扉の内部で移動することを検知した場合、前記扉を開閉する人物の認証を行う認証部と、
前記認証部による認証が成立した場合、前記扉に進退自在に設けられたデッドボルトを解錠位置に移動させるように電気錠を制御する制御部とを備えたことを特徴とする錠制御装置。
【発明の詳細な説明】
【技術分野】
【０００１】
本発明は、電気錠装置、電気錠付扉、及び錠制御装置に関し、より詳細には、建物の扉に設けられた錠を電動で施錠又は解錠させる電気錠装置、電気錠付扉、及び錠制御装置に関する。
【背景技術】
【０００２】
従来、扉に設けられた錠を電動で施錠又は解錠する電気錠システムがあった（例えば特許文献１参照）。
【０００３】
この電気錠システムでは、鍵ＩＤ情報が記録された非接触媒体を利用者が携帯して扉に近づくと、扉面に設けられた受信器が、非接触媒体から鍵ＩＤ情報を読み取り、読み取った鍵ＩＤ情報を予め登録されている情報と照合する。受信器は、非接触媒体から読み取った鍵ＩＤ情報が予め登録されている情報と一致すると、解錠ボタン上の表示部を所定時間だけ点灯させる。表示部が点灯している間に利用者が解錠ボタンを押すと、受信器は電気錠装置に解錠指令信号を送信して、電気錠装置を解錠させている。
【先行技術文献】
【特許文献】
【０００４】
【特許文献１】特開２０１０−１３８５７９号公報
【発明の概要】
【発明が解決しようとする課題】
【０００５】
特許文献１に記載された電気錠システムでは、扉に設けられた錠を解錠させるためには、非接触媒体を携帯した利用者が扉に近づいて、認証が成立した状態で、解錠ボタンを操作して電気錠を解錠させた後、扉に設けられたハンドルを持って扉を開けていた。このため、電気錠を解錠させるために解錠ボタンを操作する動作と、ハンドルを持って扉を開ける動作との２つの動作が必要であった。
【０００６】
本発明は上記課題に鑑みて為され、従来よりも少ない動作で電気錠を施錠又は解錠することができる電気錠装置、電気錠付扉、及び錠制御装置を提供することを目的とする。
【課題を解決するための手段】
【０００７】
上記課題を解決するために、本発明の電気錠装置は、取手と、ラッチ駆動部と、電気錠と、検知部と、認証部と、制御部とを備えたことを特徴とする。前記取手は、建物の扉に取り付けられる。前記ラッチ駆動部は、前記取手を用いて前記扉を開ける操作が行われた場合、前記扉に進退自在に取り付けられたラッチボルトを前記扉の内側に移動させる。前記電気錠は、前記扉に進退自在に取り付けられたデッドボルトを施錠位置と解錠位置との間で進退させる。前記検知部は、前記取手の把持部が変位することによって、前記取手に接続された部分が前記扉の内部で移動することを検知する。前記認証部は、前記検知部が前記取手に接続された部分が前記扉の内部で移動することを検知した場合、前記扉を開閉する人物の認証を行う。前記制御部は、前記認証部による認証が成立した場合、前記デッドボルトを前記解錠位置に移動させるように前記電気錠を制御する。
本発明の電気錠付扉は、前記電気錠装置と、前記扉とを備える。
本発明の錠制御装置は、建物の扉に取り付けられた取手を用いて前記扉を開ける操作が行われた場合、前記扉に進退自在に設けられたラッチボルトを前記扉の内側に移動させるラッチ駆動部と、前記取手の把持部が変位することによって、前記取手に接続された部分が前記扉の内部で移動することを検知する検知部と、前記検知部が前記取手に接続された部分が前記扉の内部で移動することを検知した場合、前記扉を開閉する人物の認証を行う認証部と、前記認証部による認証が成立した場合、前記扉に進退自在に設けられたデッドボルトを解錠位置に移動させるように電気錠を制御する制御部とを備える。
【発明の効果】
【０００８】
本発明によれば、従来よりも少ない動作で電気錠を解錠することができる電気錠装置、電気錠付扉、及び錠制御装置を提供することができる。
【図面の簡単な説明】
【０００９】
【図１】実施形態の電気錠装置を用いた電気錠システムのブロック図である。
【図２】実施形態の電気錠装置が適用された扉を屋内から見た図である。
【図３】実施形態の電気錠装置が適用された扉を屋外から見た図である。
【図４】実施形態の電気錠装置が適用された扉の要部の断面図である。
【図５】実施形態の電気錠装置が適用された扉が開けられる途中の状態を示す要部の断面図である。
【図６】実施形態の電気錠装置が適用された扉が開けられる途中の状態を示す要部の断面図である。
【図７】実施形態の電気錠装置の動作を示すフローチャートである。
【図８】実施形態の別の電気錠装置が適用された扉が開けられる途中の状態を示す要部の断面図である。
【発明を実施するための形態】
【００１０】
以下、本発明の一実施形態に係る電気錠装置を用いた電気錠システムについて図面を参照して説明する。ただし、以下に説明する構成は本発明の一例に過ぎない。本発明は、以下の実施形態に限定されず、本発明に係る技術的思想を逸脱しない範囲であれば、設計等に応じて種々の変更が可能である。
【００１１】
図１は電気錠装置を用いた電気錠システムのブロック図である。図２は電気錠装置が適用された扉を屋内から見た図、図３は電気錠装置が適用された扉を屋外から見た図である。
【００１２】
電気錠システムは、電気錠装置１０と、応答器３００（いわゆるタグキー）とを備える。電気錠装置１０は、錠制御装置１００と、電気錠２１０，２２０と、開閉センサ５００とを備える。
【００１３】
この電気錠システムは、建物（例えば戸建ての住宅や集合住宅の住戸など）の扉１を電動で施錠又は解錠するためのシステムである。扉１は例えば玄関扉であり、ヒンジ部３を介して扉枠２に開閉自在に取り付けられている。なお扉１は外開きの扉である。
【００１４】
近年、建物の防犯性能を向上させるために、扉１に複数の錠を取り付けるのが一般的であり、本実施形態では、扉１の戸先側に２つの電気錠２１０，２２０が取り付けられている。なお、電気錠の個数は２個に限定されず、１個でも良いし、３個以上でもよい。
【００１５】
扉１の屋内側及び屋外側には、扉１を開閉するためのハンドル４（取手）が取り付けられている。ハンドル４は金属又は合成樹脂などの材料で形成されている。ここで、扉１の屋内側の面に設けられたハンドル４を第１ハンドル４１（第１取手）といい、扉１の屋外側の面に設けられたハンドル４を第２ハンドル４２（第２取手）という。ハンドル４が操作されていない状態では、ラッチボルト２１５は扉１の戸先から突出した状態でロックされている（図４参照）。このラッチボルト２１５が、扉枠２に設けられたラッチボルト用のストライク（図示せず）に挿入されることで、扉１が仮締めされ、風などで開かないようになっている。屋内側の第１ハンドル４１が押されるか、又は屋外側の第２ハンドル４２が手前に引っ張られるかすると、ラッチボルト２１５は、ロック状態が解除され、図４に示す位置から図中の右回りに回転可能な状態となる。この状態からさらに、屋内側の第１ハンドル４１を押すか、又は屋外側の第２ハンドル４２を手前に引くかすると、ラッチボルト２１５が扉枠２に押されて回転し扉１の内側に引き込まれることによって、扉１は開けられた状態となる。
【００１６】
第１ハンドル４１と第２ハンドル４２とは同様の構成を有しているので、図２〜図６を参照して第２ハンドル４２の構成を説明し、第１ハンドル４１の説明は省略する。図４〜図６は、屋外側の第２ハンドル４２の構成を模式的に示した図である。図４は第２ハンドル４２が操作されていない状態を示している。図５は、扉１を屋外側（図５の上側）に開く前に、第２ハンドル４２を扉１側に押した状態を示している。図６は、第２ハンドル４２を扉１側に押した後に扉１を開くために、第２ハンドル４２を屋外側に引いた状態を示している。
【００１７】
第２ハンドル４２は、把持部４２０と、２つの連結部４２１と、２つの基部４２２とを備えている。把持部４２０は棒状に形成されており、人の手で把持される。２つの基部４２２は、扉１の屋外側の面に固定されている。２つの基部４２２は、上下方向において間隔を開けて並ぶように配置されている。２つの連結部４２１の各々は、対応する基部４２２と把持部４２０との間を連結する。連結部４２１は、基部４２２に設けられた軸部（図示せず）を中心として所定の角度範囲で回転可能なように、基部４２２に取り付けられている。また、第２ハンドル４２は、扉１の内部に突出する棒状の突起部４２３を備えている。この突起部４２３は、連結部４２１の回転に連動して動作する。把持部４２０を人が操作することによって連結部４２１が軸部を中心として回転すると、連結部４２１の回転に応じて突起部４２３も回転し、突起部４２３の先端が扉１の内部で左右に移動する。
【００１８】
扉１の内部には、把持部４２０が扉１側に押されることによって突起部４２３の先端が扉１の内部を図５中の左側に移動した場合に、突起部４２３の先端で操作ボタンが押される位置にスイッチ２１６が配置されている。スイッチ２１６の操作ボタンが押されると、スイッチ２１６の接点状態がオンからオフ（又はオフからオン）に切り替わる。
【００１９】
また、扉１の内部には、把持部４２０が屋外側に引っ張られることによって突起部４２３の先端が扉１の内部を図６中の右側に移動した場合に、突起部４２３の先端で押される位置にラッチ駆動部２１５１が配置されている。ラッチ駆動部２１５１が突起部４２３の先端で押されていない状態では、ラッチボルト２１５は扉１の戸先から扉枠２側に突出した状態でロックされ、このラッチボルト２１５が扉枠２のストライクに挿入されることで、扉１が仮締めされる。一方、ラッチ駆動部２１５１が突起部４２３の先端で押された場合、ラッチ駆動部２１５１は、ラッチボルト２１５のロックを解除して回転自在な状態とする。この状態から把持部４２０がさらに外側に引っ張られると、ラッチボルト２１５が扉枠２に押されて回転し、扉１の内側に引き込まれることで、扉１が屋外側に開かれる。なお、ラッチ駆動部２１５１は、ハンドル４の操作に応じて、戸先から突出する位置と、扉１の内側に引き込まれる位置との間で、ラッチボルト２１５を進退させるように構成されてもよい。
【００２０】
なお第１ハンドル４１は、第２ハンドル４２と同様に、把持部４１０と、２つの連結部４１１と、２つの基部４１２と、突起部（図示せず）とを備えている。第１ハンドル４１の把持部４１０、連結部４１１、基部４１２、突起部は、第２ハンドル４２の把持部４２０、連結部４２１、基部４２２、突起部４２３と同様の機能を備えているので、その説明は省略する。扉１の内部には、屋内側の第１ハンドル４１が屋内側に引っ張られた場合に、第１ハンドル４１の突起部で操作ボタンが押されるスイッチ（図示せず）が配置されている。また第１ハンドル４１が屋外側に押された場合、第１ハンドル４１の突起部がラッチ駆動部２１５１を押すことによって、ラッチ駆動部２１５１がラッチボルト２１５を回転自在な状態としている。
【００２１】
なお本実施形態では、屋内側の第１ハンドル４１と屋外側の第２ハンドル４２とが同じ形状に形成されているが、第１ハンドル４１と第２ハンドル４２とは異なる形状に形成されてもよい。また、扉１を開閉するために扉１に設けられた取手はハンドル４に限定されず、レバーやノブでもよい。
【００２２】
次に、錠制御装置１００の構成について図１〜図３を参照して説明する。
【００２３】
まず、電気錠２１０，２２０の構成を説明する。電気錠２１０は、錠２１１と駆動装置２１２と施解錠センサ２１３とを備える。電気錠２２０は、錠２２１と駆動装置２２２と施解錠センサ２２３とを備える。電気錠２１０，２２０は同様の構成を有しているので、電気錠２１０について説明し、電気錠２２０については説明を省略する。
【００２４】
錠２１１は、扉枠２に設けられたストライク（図示せず）にそれぞれ挿入されるデッドボルト２１４およびラッチボルト２１５を備える（図２及び図３参照）。扉１の屋外側の面には、錠２１１に対応する位置にシリンダー６が設けられている（図３参照）。利用者がシリンダー６に正規の鍵（図示せず）を差し込み、この鍵を回転させると、シリンダー６が回転させられて、錠２１１が施錠又は解錠される。また扉１の屋内側の面には、錠２１１に対応する位置にサムターン５が取り付けられている（図２参照）。利用者がサムターン５を回転させると、サムターン５の回転に応じて錠２１１が施錠又は解錠される。
【００２５】
駆動装置２１２は、デッドボルト２１４を前進又は後退させるモータ（図示せず）などを備えている。駆動装置２１２は、錠制御装置１００から入力される駆動信号に応じてモータを回転させ、デッドボルト２１４を前進又は後退させる。デッドボルト２１４が前進して、扉枠２に設けられたデッドボルト用のストライクにデッドボルト２１４が挿入されると、扉１が施錠される。デッドボルト２１４が後退し、扉枠２のストライクから外に出ると、扉１が解錠される。
【００２６】
施解錠センサ２１３は、錠２１１が施錠しているのか、解錠しているのかを検知する。なお電気錠２１０，２２０は、電動モータでデッドボルト（又はストライク）を駆動するようなモータ錠で構成されてもよいし、サムターンを電動モータで回転させる電動サムターンと機械式の錠装置とを組み合わせた構成でもよい。
【００２７】
錠制御装置１００は、演算処理部１１０と、第１通信部１２１と、第２通信部１２２と、第１表示部１３１と、第２表示部１３２と、検知部１４０と、電気錠駆動回路１６１，１６２と、電源部１７０を備える。
【００２８】
演算処理部１１０は、例えばＲＯＭ（Read Only Memory）などのメモリに格納された制御プログラムを実行することによって所定の機能を実現するマイクロコンピュータからなる。演算処理部１１０が制御プログラムを実行することによって、演算処理部１１０には、応答器３００の認証を行う認証部１１１の機能や、電気錠２１０，２２０の施錠、解錠を制御する制御部１１２の機能が実現されている。また演算処理部１１０は格納部１１３を備えている。格納部１１３は、ＥＥＰＲＯＭ（Electrically Erasable and Programmable Read Only Memory）のような電気的に書き換え可能な不揮発性メモリからなる内蔵メモリである。格納部１１３には、解錠又は施錠を許可する応答器３００の識別情報が格納される。なお、格納部１１３に識別情報が格納されている応答器３００は、電気錠２１０，２２０を解錠又は施錠する操作を許可された応答器であり、このような応答器３００を正規の応答器という。
【００２９】
第１通信部１２１は第１ＬＦ通信回路１２１１と第１ＬＦアンテナ１２１２とを備える。第１ＬＦアンテナ１２１２はコイル形のアンテナであり、扉１の屋内側に取り付けられている（図２参照）。第１ＬＦ通信回路１２１１は、第１ＬＦアンテナ１２２２を介してＬＦ（Low Frequency）帯の電波信号を送受信する。
【００３０】
第２通信部１２２は第２ＬＦ通信回路１２２１と第２ＬＦアンテナ１２２２とを備える。第２ＬＦアンテナ１２２２はコイル形のアンテナであり、扉１の屋外側に取り付けられている（図３参照）。第２ＬＦ通信回路１２２１は、第２ＬＦアンテナ１２２２を介してＬＦ帯の電波信号を送受信する。
【００３１】
なお、本実施形態の第１通信部１２１および第２通信部１２２は応答器３００との間でＬＦ帯の電波信号を送受信するが、第１通信部１２１および第２通信部１２２と応答器３００との間の通信仕様は適宜変更が可能である。
【００３２】
第１表示部１３１は、例えばＬＥＤ（Light Emitting Diode）や液晶ディスプレイなどからなる。第１表示部１３１は、扉１の屋内側に設けられて、電気錠装置１０の動作状態（例えば電気錠２１０，２２０の施解錠動作や応答器３００の認証結果など）を表示する。
【００３３】
第２表示部１３２は、例えばＬＥＤや液晶ディスプレイなどからなり、扉１の屋外側に設けられて、電気錠装置１０の動作状態（例えば電気錠２１０，２２０の施解錠動作や応答器３００の認証結果など）を表示する。
【００３４】
検知部１４０は、ハンドル４の操作、すなわち第１ハンドル４１の操作、及び、第２ハンドル４２の操作をそれぞれ検知する。検知部１４０は、第１ハンドル４１及び第２ハンドル４２のそれぞれに設けられたスイッチ２１６を備え、スイッチ２１６の接点状態をもとに第１ハンドル４１及び第２ハンドル４２の操作を検知する。
【００３５】
電気錠駆動回路１６１は、演算処理部１１０から入力される制御信号に応じて、電気錠２１０を施錠又は解錠させる駆動信号を電気錠２１０に出力する。
【００３６】
電気錠駆動回路１６２は、演算処理部１１０から入力される制御信号に応じて、電気錠２２０を施錠又は解錠させる駆動信号を電気錠２２０に出力する。
【００３７】
電源部１７０は、例えば電池を電源として電気錠装置１０の各部に動作電力を供給する。なお電源部１７０は、扉枠２に設けられた送電部から非接触給電方式で電力供給を受ける受電部を備え、外部から供給される電力で動作するものでもよい。
【００３８】
開閉センサ５００は、例えば扉枠２に取り付けられたマグネット（図示せず）と、扉１が閉じられた状態でマグネットと対向するように扉１に配置された磁気センサ（図示せず）とを備える。開閉センサ５００は、磁気センサによる磁気の検出結果をもとに、扉１が開いているか閉じているかを検知し、その検知結果を演算処理部１１０に出力する。
【００３９】
次に応答器３００について図１を参照して説明する。
【００４０】
応答器３００は、制御部３１０と、ＬＦ通信回路３２０と、ＬＦアンテナ３３０と、表示部３４０と、操作部３５０と、電源部３６０とを備える。
【００４１】
制御部３１０は、例えばＲＯＭなどのメモリに格納された制御プログラムを実行することによって所定の機能を実現するマイクロコンピュータを備える。制御部３１０は例えばＥＥＰＲＯＭなどの内蔵メモリを備え、この内蔵メモリには当該応答器３００に割り当てられた識別情報が保持されている。ＬＦ通信回路３２０が錠制御装置１００から送信された質問信号を受信すると、制御部３１０は、内蔵メモリに格納された識別情報を含む応答信号を作成し、この応答信号をＬＦ通信回路３２０から送信させる。
【００４２】
ＬＦ通信回路３２０は、コイル型のＬＦアンテナ３３０を用い、所定の周波数帯（例えばＬＦ帯）の電波で通信を行う。
【００４３】
ＬＦアンテナ３３０は、例えば３つの独立したコイルを直交に配置した３軸構成である。したがって、応答器３００の向きがどのような向きであっても、錠制御装置１００との間で安定した通信が行える。
【００４４】
表示部３４０は、例えばＬＥＤランプや液晶ディスプレイなどで構成され、応答器３００の動作状態などを光や文字で表示する。
【００４５】
操作部３５０は、応答器３００の電源をオン／オフする操作などを行うためのものである。
【００４６】
電源部３６０は、例えばコイン形のリチウム電池を備え、各部を駆動するための電力を供給する。
【００４７】
本実施形態の電気錠装置１０を用いた電気錠システムは上記のような構成を有しており、屋外から扉１を開けて屋内に入る場合の動作を図７のフローチャートに基づいて説明する。
【００４８】
正規の応答器３００を携帯した利用者が、屋外から扉１を開ける場合、まず第２ハンドル４２の把持部４２０を持って、扉１を開ける方向と反対向き（つまり扉１に近づく向き）に把持部４２０を押す（図７のステップＳ１）。
【００４９】
図５に示すように把持部４２０が扉１に近づく向きに押されると、第２ハンドル４２の突起部４２３によってスイッチ２１６の操作ボタンが押され、スイッチ２１６の接点状態が例えばオンからオフに反転する。スイッチ２１６の接点信号は検知部１４０に入力されている。検知部１４０は、スイッチ２１６の接点状態がオンからオフに反転したことから、第２ハンドル４２が操作されたことを検知し、検知信号を演算処理部１１０に出力する。検知部１４０から演算処理部１１０に検知信号が入力されると、認証部１１１は、第２ハンドル４２が操作されたことをトリガとして、応答器３００の認証処理を開始する（ステップＳ２）。
【００５０】
認証部１１１は、応答器３００に識別情報の送信を要求する質問信号を、第１通信部１２１及び第２通信部１２２に送信させる。利用者が携帯する応答器３００は扉１の屋外側にあり、第２通信部１２２から送信された質問信号を受信すると、この質問信号に対する応答信号を送信する。第２通信部１２２が応答器３００から送信された応答信号を受信すると、第２通信部１２２は受信した応答信号を演算処理部１１０に出力する。
【００５１】
第２通信部１２２から演算処理部１１０に応答信号が入力されると、認証部１１１は、応答信号に含まれる識別情報と、格納部１１３に格納された識別情報とを照合することによって、応答器３００の認証を行う（ステップＳ３）。
【００５２】
ステップＳ３の認証処理において、認証が不成立だった場合（ステップＳ３のｎｏ）、認証部１１１は、第２ハンドル４２を操作した人物が正規の応答器３００を携帯していないと判断する。認証部１１１は、制御部１１２に電気錠２１０，２２０を解錠させず、電気錠２１０，２２０は施錠状態を維持する（ステップＳ７）。このとき、演算処理部１１０は第２表示部１３２を制御してランプを点滅させたり、ブザー（図示せず）を鳴動させたりして、認証が不成立だったことを報知する。
【００５３】
一方、ステップＳ３の認証処理において、応答信号に含まれる識別情報が、格納部１１３に格納された識別情報と一致すると（ステップＳ３のｙｅｓ）、認証部１１１は正規の応答器３００と判断する（認証成立）。認証部１１１が正規の応答器３００と判断すると、制御部１１２は電気錠駆動回路１６１，１６２に解錠命令を出力する。電気錠駆動回路１６１，１６２に解錠命令が入力されると、電気錠駆動回路１６１によって電気錠２１０が解錠され、電気錠駆動回路１６２によって電気錠２２０が解錠される（ステップＳ４）。電気錠２１０が錠２１１を解錠させると、施解錠センサ２１３が解錠状態を検知し、その検知結果が演算処理部１１０に出力される。同様に、電気錠２２０が錠２２１を解錠させると、施解錠センサ２２３が解錠状態を検知し、その検知結果が演算処理部１１０に出力される。
【００５４】
電気錠２１０，２２０が解錠された後に、把持部４２０が屋外側に引っ張られると、第２ハンドル４２の突起部４２３によってラッチ駆動部２１５１が押されて、ラッチボルト２１５は回転自在な状態となる。把持部４２０がこの状態からさらに屋外側に引っ張られると（ステップＳ５）、ラッチボルト２１５が扉枠２に押されて回転することによって扉１の内側に引き込まれた状態となり、扉１が開けられる（ステップＳ６）。扉１が開けられると、開閉センサ５００は、扉１の開状態を検知して、検知信号を演算処理部１１０に出力する。
【００５５】
扉１が開けられた状態で応答器３００を携帯した利用者が屋内に入り、扉１が閉じられると、開閉センサ５００は、扉１の閉状態を検知して、検知信号を演算処理部１１０に出力する。制御部１１２は、電気錠２１０，２２０を解錠させた後に、開閉センサ５００からの検知信号に基づいて扉１が開けられてから閉じられたと判断すると、一定時間後に電気錠駆動回路１６１，１６２に施錠命令を出力する。電気錠駆動回路１６１，１６２に施錠命令が入力されると、電気錠駆動回路１６１によって電気錠２１０が施錠され、電気錠駆動回路１６２によって電気錠２２０が施錠される。
【００５６】
このように、本実施形態では屋外から扉１を開けるために操作する第２ハンドル４２の操作で認証処理が開始されるから、認証処理を開始させるための操作スイッチを別に設ける必要が無くなる。しかも、第２ハンドル４２が押されることで認証処理が開始された後、第２ハンドル４２が引っ張られることで扉１が開けられるから、一つの第２ハンドル４２で認証処理を開始させる操作と扉１を開けるという操作を行うことができ、操作性が向上する。
【００５７】
なお、応答器３００が加速度センサなどの動き検知部を備えてもよい。動き検知部は、加速度センサによって検出された加速度と閾値との高低を比較し、検出された加速度が閾値以上であれば、応答器３００が動いていると検知する。応答器３００は、応答信号に動き検知部の検知結果を含めて送信する。そして、錠制御装置１００は、認証処理を行って応答器３００から応答信号を受信した場合、応答信号に含まれる動き検知部の検知結果をもとに、認証が成立し、かつ、応答器３００に動きがあれば、電気錠２１０，２２０を解錠させてもよい。これにより、応答器３００が扉１の近くに置き忘れられている場合に、応答器３００を持たない人物の操作で扉１が解錠される事象が起こりにくくなる。
【００５８】
また、錠制御装置１００は、定期的に質問信号を送信して応答器３００から応答信号を受信しても良い。そして、錠制御装置１００は、ハンドル４が操作され、応答器３００の認証が成立した場合に、ハンドル４が操作される前の一定時間内に動き検知部が動きを検知していれば、電気錠２１０，２２０を解錠させてもよい。これにより、応答器３００が扉１の近くに置き忘れられている場合に、応答器３００を持たない人物の操作で扉１が解錠される事象が起こりにくくなる。
【００５９】
ところで、上記の実施形態では検知部１４０のスイッチ２１６がハンドル４に設けられているが、検知部１４０は、ラッチ駆動部２１５１がラッチボルト２１５を扉１の内側に移動させる動作を検知することによって、ハンドル４が操作されたことを検知してもよい。
【００６０】
図８に示すように、扉１の屋内側に設けられた第１ハンドル４１には、連結部４１１の回転動作に連動して、扉１の内部を左右方向に移動する突起部４１３が設けられている。また、扉１の屋外側に設けられた第２ハンドル４２には、連結部４２１の回転動作に連動して、扉１の内部を左右方向に移動する突起部４１３が設けられている。屋内側から扉１を開ける際に第１ハンドル４１が扉１側（図８の方向Ｄ２）に押されると、突起部４１３の先端が図８中の左側に移動し、突起部４１３の動きに連動してラッチ駆動部２１５１がラッチボルト２１５のロックを解除して回転自在な状態とする。また、屋外側から扉１を開ける際に第２ハンドル４２が屋外側（図８の方向Ｄ１）に引っ張られると、突起部４２３の先端が図８中の右側に移動し、突起部４２３の動きに連動してラッチ駆動部２１５１がラッチボルト２１５のロックを解除して回転自在な状態とする。この状態から、屋内側の第１ハンドル４１が扉１側に押されるか、又は屋外側の第２ハンドル４２が屋外側に引っ張られると、ラッチボルト２１５が扉枠２に当たって回転することで扉１の内側に引き込まれた状態となり、扉１を開けることができる。ここで、検知部１４０は、ラッチ駆動部２１５１がラッチボルト２１５を扉１の内側に移動させる動作（すなわちラッチボルト２１５１を回転自在にする動作）を検知するように構成されてもよい。この場合は、１つの検知部１４０で、第１ハンドル４１の操作と第２ハンドル４２の操作を両方ともに検知できる。なお、ラッチ駆動部２１５１は、ハンドル４の操作に応じて、戸先から突出する位置と、扉１の内側に引き込まれる位置との間で、ラッチボルト２１５を進退させるように構成されてもよい。
【００６１】
以上説明したように、本実施形態の電気錠装置１０は、取手（ハンドル４）と、ラッチ駆動部２１５１と、電気錠２１０，２２０と、検知部１４０と、認証部１１１と、制御部１１２とを備えたことを特徴とする。取手は、建物の扉１に取り付けられている。ラッチ駆動部２１５１は、取手を用いて扉１を開ける操作が行われた場合、扉１に進退自在に設けられたラッチボルト２１５を扉１の内側に移動させる。電気錠２１０，２２０は、扉１に進退自在に設けられたデッドボルト２１４，２２４を施錠位置と解錠位置との間で進退させる。検知部１４０は取手の操作を検知する。認証部１１１は、検知部１４０が取手の操作を検知した場合に扉１を開閉する人物の認証を行う。制御部１１２は、認証部１１１による認証が成立した場合は、デッドボルト２１４，２２４を解錠位置に移動させるように電気錠２１０，２２０を制御する。
【００６２】
このように、本実施形態の電気錠装置１０では、扉１を開けるために操作される取手の操作を検知部１４０が検知すると、扉１を開閉する人物の認証を認証部１１１が行っている。したがって、同じ取手を用いて、認証を開始させる操作と、扉１を開ける操作とが行えるから、操作性が向上するという効果がある。しかも、扉１を開けるために操作する取手とは別に、認証を開始させるための操作スイッチなどを設ける必要がなく、部品数を削減できるという効果もある。なお、本実施形態の電気錠装置１０では、検知部１４０は、扉１を開ける方向と反対向きに取手が操作されるのを検知しているが、扉１を開ける方向に取手が操作されるのを検知してもよい。この場合は、同じ取手による同じ動作で、認証を開始させ、かつ、扉１が開けられるから、操作性がさらに向上する。また本実施形態の認証部１１１は、利用者に持たせた応答器３００の認証を行うことによって、扉１を開閉する人物の認証を行っているが、認証の方法は、指紋や網膜などのバイオメトリクス情報を用いた認証方法でもよい。また本実施形態の電気錠装置１０では、検知部１４０が第１ハンドル４１と第２ハンドル４２の操作を両方共に検知しているが、屋内側の第１ハンドル４１のみの操作を検知してもよいし、屋外側の第２ハンドル４２のみの操作を検知してもよい。
【００６３】
本実施形態の電気錠装置１０において、検知部１４０は取手（ハンドル４）に設けられてもよい。扉１の両面に取手がある場合には、検知部１４０で、どちらの面にある取手が操作されたかを検知できる。
【００６４】
また本実施形態の電気錠装置１０において、以下のような構成を備えてもよい。取手は、扉１の屋内側に取り付けられた第１取手（第１ハンドル４１）と、扉１の屋外側に取り付けられた第２取手（第２ハンドル４２）とを備える。ラッチ駆動部２１５１は、第１取手又は第２取手を用いて扉１を開ける操作が行われた場合にラッチボルト２１５を扉１の内側に移動させるように構成される。検知部１４０は、ラッチ駆動部２１５１がラッチボルト２１５を扉１の内側に移動させる動作を検知することによって、取手が操作されたことを検知するように構成され。
【００６５】
これにより、１つの検知部１４０で、第１取手の操作と、第２取手の操作を両方共に検知することができる。
【符号の説明】
【００６６】
１  扉
４  ハンドル（取手）
１０  電気錠装置
４１  第１ハンドル（第１取手）
４２  第２ハンドル（第２取手）
１００  錠制御装置
１１０  演算処理部
１１１  認証部
１１２  制御部
１４０  検知部
２１０，２２０  電気錠
２１４，２２４  デッドボルト
２１５  ラッチボルト
２１５１  ラッチ駆動部
【図１】
0006489468.tif 000002
【図２】
0006489468.tif 000003
【図３】
0006489468.tif 000004
【図４】
0006489468.tif 000005
【図５】
0006489468.tif 000006
【図６】
0006489468.tif 000007
【図７】
0006489468.tif 000008
【図８】
0006489468.tif 000009